(57)【特許請求の範囲】
【請求項１】
略鋸歯状に水平部と鉛直部が交互に形成され、互いに平行に左右に配置された一組の側板と、
前記一組の側板の水平部に掛け渡すように上載され階段上面より前記側板の前記水平部に固定される踏板と、
前記一組の側板に掛け渡すとともに階段前面より前記側板の前記鉛直部に固定される蹴込板と、を備える階段であって、
前記水平部とその上方の前記鉛直部において、前記水平部の後方かつ前記鉛直部の下方に、前記鉛直部の後方に位置する第一領域及びそれに連なり前記鉛直部の前方に位置する第二領域からなる切欠部が前記側板に形成されるとともに、
前記蹴込板の前面下部には略水平に延び前方に開口する横溝が形成され、その横溝の下端から前記蹴込板の下端までの長さは、前記水平部からの前記切欠部の第二領域の深さ以下で、
前記踏板は、その後端が前記水平部の後端よりも後方に突出するように配置され、その状態で、
前記蹴込板の下端が前記側板の切欠部に挿入され、前記踏板の後端が前記蹴込板の横溝に嵌め込まれたことを特徴とする階段。
【請求項２】
前記踏板の左右方向略中央部の後端下面が前記蹴込板の横溝の下端に当接していることを特徴とする請求項１に記載の階段。
【請求項３】
前記横溝が形成された前記蹴込板の後面部分に、左右に延びる第一補強材を取付けたことを特徴とする請求項１又は２に記載の階段。
【請求項４】
前記踏板の後部下面に、左右に延びる第二補強材を取付けたことを特徴とする請求項１乃至３のうちいずれか一つに記載の階段。
【請求項５】
前記切欠部の第一領域の底面と第二領域の底面は連続して略水平で、
前記切欠部の第一領域の上方かつ後方の壁部は、前記鉛直部の下端から後方へ前記第一領域の底面まで延びる傾斜部であり、
前記鉛直部の下端は、前記水平部より上方に位置することを特徴とする請求項１乃至４のうちいずれか一つに記載の階段。
【請求項６】
略鋸歯状に水平部と鉛直部が交互に形成され、互いに平行に左右に配置された一組の側板と、
前記一組の側板の水平部に掛け渡すように上載され階段上面より前記側板の前記水平部に固定される踏板と、
前記一組の側板に掛け渡すとともに階段前面より前記側板の前記鉛直部に固定される蹴込板と、を備える階段の施工方法であって、
前記水平部とその上方の前記鉛直部において、前記水平部の後方かつ前記鉛直部の下方に、前記鉛直部の後方に位置する第一領域及びそれに連なり前記鉛直部の前方に位置する第二領域からなる切欠部が前記側板に形成されるとともに、
前記蹴込板の前面下部には略水平に延び前方に開口する横溝が形成され、その横溝の下端から前記蹴込板の下端までの長さは、前記水平部からの前記切欠部の第二領域の深さ以下であり、
前記踏板を、その後端が前記水平部の後端よりも後方に突出するように配置した後、
前記蹴込板の下端を前記側板の切欠部の第一領域に挿入するとともに、前記蹴込板の下端を前記切欠部の第二領域に送るように前記蹴込板を回転させることで、前記踏板の後端を前記蹴込板の横溝に嵌め込み、その位置で前記蹴込板を前記鉛直部に固定するもので、
前記踏板及び前記蹴込板の施工を階段の後方に回ることなく可能にしたことを特徴とする階段の施工方法。
【発明の詳細な説明】
【技術分野】
【０００１】
本発明は、一組の側板と踏板と蹴込板とを備える階段及び階段の施工方法に関するものである。
【背景技術】
【０００２】
戸建て住宅の大半は２階建以上であり、２階建以上の場合、少なくとも各戸に１セットの階段が設けられている。
更に、近年では、特に都市部において、３階建や地下室を含めて３〜４セット（３〜４階分）の階段が用いられている場合もある。このように、階段は一般住宅においては極めて重要である。
【０００３】
まず、施工面では、木造住宅では木製階段が用いられる場合が多いが、その中でも最も一般的な箱型階段の施工に関して見てみると、先ず、工具や加工機械類の完備した工場や工務店の作業場等にて、側板１表面に踏板２及び蹴込板３の取り付けられる溝４の加工を行う。踏板２や蹴込板３についても同様に必要な加工を行う。これらを施工現場に搬入後、側板１を階段施工場所の柱等（図示せず）に固定をする。
【０００４】
その後、図１に示すように、下段の後方（図では右側）から、踏板２、楔５、蹴込板３を順に溝４に差し込むように取り付けていく。そして、踏板２後端に蹴込板３を釘６にて固定する。なお、楔５は踏板２をがたつきの無いように固定する手段であり、釘で踏板２に固定される。
より強固に固定する必要がある場合は、釘６の代わりに保持力が釘に比較して強固な木ネジを使用する場合もある。特に踏板２後端部と蹴込板３との接合は、後で詳細に述べるが、少なくとも釘５〜６本、最近では木ネジや補強用合板を用いることが一般的となっている。
【０００５】
踏板２固定用の楔５や蹴込板３は、いずれも階段後方からの固定が必要で、図２に示すように階段の下段付近では、作業者７は、床面付近の狭い空間８に入り込んでの作業となる。楔５は踏板２を隙間なく完全に固定する為に欠かせない部材であり、階段１段分を施工するごとに、階段後方に回り込んで打ち込み、楔固定用釘（図示せず）にて固定される。
また、階段の上段付近では、作業者７は、天丼９付近での作業となるので、脚立１０に乗っての不安定な作業１１となる。いずれにしても、作業者７は、不自然な姿勢を強いられ、能率の悪い作業であった。
【０００６】
しかも、階段後方は傾斜した壁面１２なので、通常は一般の居室に現れる事は少なく、トイレや収納といった狭い空間に利用される場合が多い。これらの狭い空間は、工事中は作業灯程度の照明しか得られないので、うす暗く、又、狭さの為に脚立１０を持ち込んでの作業も困難な場合がある。
【０００７】
また、予め平坦な場所で側板１、踏板２、蹴込板３等に溝４を加工するだけでなく、組み上げまで行って、一体化した階段ユニットを、そのまま施工現場に運搬・搬入し、クレーン等で吊り上げて固定する方法もあるが、階段ユニットは重量があり、しかも、住宅の柱に囲まれた狭い空間に傷を付けずに吊り込むには、クレーン等の熟練作業が必要で、あまりー般的ではなかった。
【０００８】
一方、雛壇階段と称される階段では、図３に示すように、水平部１３及び垂直部１４からなる鋸歯状の加工１５を行ったササラ桁１６を、箱型階段における側板同様に施工現場に搬入後、階段施工場所の柱等（図示せず）に固定を行う。
【０００９】
次いで、階段の下段部分から上段部分に向かって、階段前方（図では左側）から、踏板２を水平部１３、蹴込板３を垂直部１４にそれぞれ置くようにして順に施工を行う。
この際、図４に示されたように、踏板２及び蹴込板３の施工は階段の上面側下段から順番に施工可能であり、作業者７は不自然な姿勢を強いられる事も無く、階段の下段から順番に施工できるので、この段階までは脚立を使用する必要も無く、安全性も高く、作業性は箱型階段に比較して格段に改善される（例えば、特許文献１参照）。
【００１０】
このように、安全性と施工性の高い雛段階段ではあるが、踏板２と蹴込板３との固定に関して見ると、図５及び図６に示したように、踏板後端１７と蹴込板３表面は、単に接しているだけで、固定されていない。
この為に、蹴込板３に反りが生じた場合、踏板後端１７と蹴込板３間に見苦しい隙間１８が発生してしまう恐れがある。
【００１１】
蹴込板３に反りが無い場合、図７に示したように、一見して踏板後端１７と蹴込板３表面は密着しているように見える。従って、上記のような見苦しい隙間１８は発生しないが、昇降者１８の体重が踏板２に作用すると、踏板２は元の位置１９から下方に沈んで撓み２０を生じてしまう。この撓み２０は昇降者１８が通過すれば復元２１して元の位置１９に戻るので、階段の強度に影響は無いものの、撓み２０と復元２１の際には、それぞれ踏板後端１７と蹴込板３とが擦れて、軋み音と称される不快な騒音が発生してしまう。
要するに、雛壇階段の場合、踏板後端部１７と蹴込板３との固定が十分に為されていないので、隙間１８や軋み音が発生し易い傾向がある。
【００１２】
ここで、隙間１８や軋み音の発生対策として最も有効、且つ一般的な方法は、図９，図１０に示したように、階段後方から釘等の固定手段２２で固定を行うことである（例えば、特許文献２参照）。
【先行技術文献】
【特許文献】
【００１３】
【特許文献１】特許第３９８９０７７号公報
【特許文献２】特開２００４−２４４８３１号公報
【発明の概要】
【発明が解決しようとする課題】
【００１４】
しかしながら、これでは雛段階段の特徴でもある、階段前方からの施工が完全ではなくなってしまう事を意味する。
【００１５】
そこで、本発明の目的とするところは、蹴込板と踏板との間の隙間や軋み音が発生し難く、しかも前方からのみの施工が可能な階段及び階段の施工方法を提供することにある。
【課題を解決するための手段】
【００１６】
上記の目的を達成するために、本発明の請求項１に記載の階段は、略鋸歯状に水平部（２３）と鉛直部（２５）が交互に形成され、互いに平行に左右に配置された一組の側板（２１）と、前記一組の側板（２１）の水平部（２３）に掛け渡すように上載され階段上面より前記側板（２１）の前記水平部（２３）に固定される踏板（２２）と、前記一組の側板（２１）に掛け渡すとともに階段前面より前記側板（２１）の前記鉛直部（２５）に固定される蹴込板（２４）と、を備える階段であって、前記水平部（２３）とその上方の前記鉛直部（２５）において、前記水平部（２３）の後方かつ前記鉛直部（２５）の下方に、前記鉛直部（２５）の後方に位置する第一領域（２６ａ）及びそれに連なり前記鉛直部（２５）の前方に位置する第二領域（２６ｂ）からなる切欠部（２６）が前記側板（２１）に形成されるとともに、前記蹴込板（２４）の前面下部には略水平に延び前方に開口する横溝（２７）が形成され、その横溝（２７）の下端から前記蹴込板（２４）の下端までの長さは、前記水平部（２３）からの前記切欠部（２６）の第二領域（２６ｂ）の深さ以下で、前記踏板（２２）は、その後端（２８）が前記水平部（２３）の後端よりも後方に突出するように配置され、その状態で、前記蹴込板（２４）の下端が前記側板（２１）の切欠部（２６）に挿入され、前記踏板（２２）の後端が前記蹴込板（２４）の横溝（２７）に嵌め込まれたことを特徴とする。
【００１７】
また、請求項２に記載の階段は、前記踏板（２２）の左右方向略中央部の後端（２８）下面が前記蹴込板（２４）の横溝（２７）の下端に当接していることを特徴とする。
【００１８】
また、請求項３に記載の階段は、前記横溝（２７）が形成された前記蹴込板（２４）の後面部分に、左右に延びる第一補強材（３０）を取付けたことを特徴とする。
【００１９】
また、請求項４に記載の階段は、前記踏板（２２）の後部下面に、左右に延びる第二補強材（３１）を取付けたことを特徴とする。
【００２０】
また、請求項５に記載の階段は、前記切欠部の第一領域（２６ａ）の底面と第二領域の底面は連続して略水平で、
前記切欠部（２６）の第一領域（２６ａ）の上方かつ後方の壁部は、前記鉛直部（２５）の下端から後方へ前記第一領域（２６ａ）の底面まで延びる傾斜部（２６ｃ）であり、
前記鉛直部（２５）の下端は、前記水平部（２３）より上方に位置することを特徴とする。
【００２１】
また、請求項６に記載の階段の施工方法は、略鋸歯状に水平部（２３）と鉛直部（２５）が交互に形成され、互いに平行に左右に配置された一組の側板（２１）と、前記一組の側板（２１）の水平部（２３）に掛け渡すように上載され階段上面より前記側板（２１）の前記水平部（２３）に固定される踏板（２２）と、前記一組の側板（２１）に掛け渡すとともに階段前面より前記側板（２１）の前記鉛直部（２５）に固定される蹴込板（２４）と、を備える階段の施工方法であって、前記水平部（２３）とその上方の前記鉛直部（２５）において、前記水平部（２３）の後方かつ前記鉛直部（２５）の下方に、前記鉛直部（２５）の後方に位置する第一領域（２６ａ）及びそれに連なり前記鉛直部（２５）の前方に位置する第二領域（２６ｂ）からなる切欠部（２６）が前記側板（２１）に形成されるとともに、前記蹴込板（２４）の前面下部には略水平に延び前方に開口する横溝（２７）が形成され、その横溝（２７）の下端から前記蹴込板（２４）の下端までの長さは、前記水平部（２３）からの前記切欠部（２６）の第二領域（２６ｂ）の深さ以下であり、前記踏板（２２）を、その後端（２８）が前記水平部（２３）の後端よりも後方に突出するように配置した後、前記蹴込板（２４）の下端を前記側板（２１）の切欠部（２６）の第一領域（２６ａ）に挿入するとともに、前記蹴込板（２４）の下端を前記切欠部（２６）の第二領域（２６ｂ）に送るように前記蹴込板（２４）を回転させることで、前記踏板（２２）の後端（２８）を前記蹴込板（２４）の横溝（２７）に嵌め込み、その位置で前記蹴込板（２４）を前記鉛直部（２５）に固定するもので、
前記踏板（２２）及び前記蹴込板（２４）の施工を階段の後方に回ることなく可能にしたことを特徴とする。
【００２２】
ここで、上記括弧内の記号は、図面および後述する発明を実施するための形態に掲載された対応要素または対応事項を示す。
【発明の効果】
【００２３】
本発明の請求項１に記載の階段によれば、踏板は、その後端が水平部の後端よりも後方に突出するように配置されて、踏板の後端が蹴込板の横溝に嵌め込まれたので、踏板の中央部の撓みを抑制可能である。
すなわち、踏板に荷重が作用しても、踏板の後端の下面が蹴込板の横溝の下端に当接するとそれ以上は踏板が撓むことはない。
よって、蹴込板と踏板との間に隙間が発生し難く、また軋み音も発生し難い。
しかも、切欠部の第一領域が形成されているので、先に踏板の後端が突出するように施工されていても、後から蹴込板の下端を切欠部の第一領域に挿入することで蹴込板を施工可能である。つまり、後方に回り込むことなく前方からのみの施工で階段を設置可能である。その結果、施工時に脚立等は不要であり、また無理な姿勢を取らずに安全に施工可能である。
【００２４】
また、請求項２に記載の階段によれば、請求項１に記載の発明の作用効果に加え、踏板の左右方向略中央部の後端下面が蹴込板の横溝の下端に当接しているので、最も撓み易い踏板の左右方向略中央部であってもほとんど撓まず、軋み音も発生し難い。
【００２５】
また、請求項３に記載の階段によれば、請求項１又は２に記載の発明の作用効果に加え、横溝が形成された蹴込板の後面部分に、左右に延びる第一補強材を取付けたので、蹴込板が撓み難く、蹴込板を側板の鉛直部に固定したときに踏板の後端を確実に蹴込板の横溝に嵌め込むことができる。
よって、軋み音がより発生し難い。
【００２６】
また、請求項４に記載の階段によれば、請求項１乃至３に記載の発明の作用効果に加え、踏板の後部下面に、左右に延びる第二補強材を取付けたので、踏板が撓み難く、蹴込板を側板の鉛直部に固定したときに踏板の後端を確実に蹴込板の横溝に嵌め込むことができる。
よって、軋み音がより発生し難い。
【００２７】
また、請求項５に記載の階段によれば、請求項１乃至４に記載の発明の作用効果に加え、
切欠部の第一領域は、鉛直部の下端から後方へ延びる傾斜部が形成されてなるので、切欠部が小さくて済み、側板に切欠部を形成しても側板の強度を保つことができる。
【００２８】
また、請求項６に記載の階段の施工方法によれば、踏板を、その後端が水平部の後端よりも後方に突出するように配置した後、蹴込板の下端を側板の切欠部の第一領域に挿入するとともに、蹴込板の下端を切欠部の第二領域に送るように蹴込板を回転させることで、踏板の後端を蹴込板の横溝に嵌め込み、その位置で蹴込板を鉛直部に固定するので、蹴込板に横溝が形成され踏板の後端が突出していても、踏板の後に蹴込板を施工可能である。つまり、後方に回り込むことなく前方からのみの施工で階段を設置可能である。
【００２９】
なお、本発明の階段及び階段の施工方法のように、蹴込板の前面下部に横溝が形成され、側板に第一領域及び第二領域からなる切欠部が形成され、しかも踏板が後方に突出するように設置される点は、上述した特許文献１には全く記載されていない。
【図面の簡単な説明】
【００３０】
【図１】従来の階段(箱型階段)の施工方法を示す断面図である。
【図２】従来の階段(箱型階段)の施工を示す概念図である。
【図３】従来の階段(雛壇階段)の施工方法を示す断面図である。
【図４】従来の階段(雛壇階段)の施工を示す概念図である。
【図５】従来の階段(雛壇階段)における蹴込板と踏板との隙開を示す斜視図である。
【図６】従来の階段(雛壇階段)における蹴込板と踏板との隙間を示す断面図である。
【図７】従来の階段(雛壇階段・箱型階段共通)における蹴込板と踏板との踏み鳴り発生前の状態を示す断面図である。
【図８】従来の階段(雛壇階段・箱型階段共通)における蹴込板と踏板との踏み鳴り発生時を示す断面図である。
【図９】従来の階段(雛壇階段・箱型階段共通)における蹴込板と踏板との固定を示す断面図である。
【図１０】従来の階段(雛壇階段・箱型階段共通)における蹴込板と踏板との固定を示す斜視図である。
【図１１】本実施形態に係る階段における各構成要素を示す断面図である。
【図１２】本実施形態に係る階段における踏板を固定した状態を示す断面図である。
【図１３】本実施形態に係る階段における蹴込板を切欠部に挿入した状態を示す断面図である。
【図１４】本実施形態に係る階段における蹴込板を固定した状態を示す断面図である。
【図１５】本実施形態に係る階段における一段上の踏板を取付ける状態を示す側面図である。
【図１６】踏板の段鼻付近を部分的に厚くする状態を示す断面図である。
【図１７】踏板に第二補強材を取り付けた状態を示す断面図である。
【図１８】蹴込板に第一補強材を取り付けた状態を示す断面図である。
【図１９】本実施形態に係る階段を示す拡大断面図である。
【発明を実施するための形態】
【００３１】
図１１乃至図１９を参照して、本発明の実施形態に係る階段を説明する。
この階段は、側板２１（ササラ桁）と、踏板２２と、蹴込板２４と、を備える雛壇階段である。
【００３２】
側板２１は、略鋸歯状に水平部２３と鉛直部２５が交互に形成され、互いに平行に左右に傾斜配置された一組の板材である。
ここでは、隣接する一つの水平部２３とその上方に隣接する一つの鉛直部２５との関係について説明する。
鉛直部２５の下端は水平部２３よりも上方に位置し、水平部２３の後端は鉛直部２５よりも前方に位置する。
水平部２３の後方かつ鉛直部２５の下方には、鉛直部２５の後方に位置する第一領域２６ａ及びその第一領域２６ａに連なり鉛直部２５の前方に位置する第二領域２６ｂからなる切欠部２６が側板２１に形成されている。
第一領域２６ａは、蹴込板２４の取付け時に、前傾状態で切欠部２６に挿入される蹴込板２４の下部が移動するためのスペースである。
第二領域２６ｂは蹴込板２４が垂直に配置されたときに蹴込板２４の下部を収容するスペースである。
【００３３】
切欠部２６の第一領域２６ａの上方かつ後方の壁部は、鉛直部２５の下端から後方へ延びる傾斜部２６ｃとなっている。この傾斜部２６ｃと、後述する突出した踏板２２の後端２８との距離は、蹴込板２４の板厚よりも長く、蹴込板２４を側板２１の切欠部２６の第一領域２６ａに挿入可能である。すなわち、踏板２２の後端２８の突出量だけ蹴込板２４を切欠部２６内で後方に逃がすことが可能となっている。
また、第一領域２６ａの底面と第二領域２６ｂの底面は連続しており略水平となっている。
【００３４】
踏板２２は、矩形状の板材であり、一組の側板２１の水平部２３に掛け渡すように上載され固定される。このとき、踏板２２の後端２８が水平部２３の後端よりも後方に突出するように配置されている。
また、図１７に示すように踏板２２の後部下面に、左右に延びる第二補強材３１を取付けた。
第二補強材３１は、踏板２２の左右方向の長さよりも短く、踏板２２を側板２１に取付けたときに両側の側板２１に干渉しない長さである。図１７以外の図では第二補強材３１を省略した。
【００３５】
図１６に示すように前部下面には、左右方向に延びるＶ溝を形成し、踏板２２の前端を折り曲げて板厚の二倍の段鼻としてもよい。
本実施形態においては、踏板２２の板厚は１５ｍｍ程度でも実用的な強度が得られる。なお、従来の構造では踏板２２は少なくとも２４ｍｍ程度の板厚が必要であった。
また、踏板２２の前部下面に、その下の段にある蹴込板２４の上端と嵌合する嵌合溝を設けてもよい。
【００３６】
蹴込板２４は、踏板２２と同じ板厚の矩形状の板材であり、一組の側板２１に掛け渡すとともに鉛直部２５に固定される。
蹴込板２４の前面下部には略水平に延び前方に開口する横溝２７が形成され、その横溝２７の下端から蹴込板２４の下端までの長さは、水平部２３からの切欠部２６の第二領域２６ｂの深さ以下である。
横溝２７は断面矩形状であり、横溝２７の高さ（上端から下端まで）は踏板２２の後端２８の厚さと略等しく、踏板２２の後端２８を横溝２７に挿入可能である。
横溝２７の深さ（板厚方向）は、板厚の略半分程度である。
また、図１８に示すように横溝２７が形成された蹴込板２４の後面部分（横溝２７の裏側）に、左右に延びる第一補強材３０を取付けた。
第一補強材３０は、蹴込板２４の左右方向の長さよりも短く、蹴込板２４を側板２１に取付けたときに両側の側板２１に干渉しない長さである。図１８以外の図では第一補強材３０を省略した。
【００３７】
蹴込板２４の下端が側板２１の切欠部２６に挿入され、切欠部２６の第二領域２６ｂに配置され蹴込板２４が鉛直となった状態で鉛直部２５に固定されるときには、踏板２２の後端２８は蹴込板２４の横溝２７に嵌め込まれる。
踏板２２の後端２８が横溝２７に嵌め込まれたとき、横溝２７の奥壁に踏板２２の後端２８が当接する。この当接は必須ではないが、当接することが好ましい。
このとき、蹴込板２４の前面下部は水平部２３の後端に当接していてもよいし、隙間が空いていてもよい。
さらに、踏板２２の左右方向略中央部の後端２８下面が蹴込板２４の横溝２７の下端に当接している。
第一補強材３０は、蹴込板２４の左右方向の長さよりも短く、蹴込板２４を側板２１に取付けたときに両側の側板２１に干渉しない長さである。
以上の側板２１、踏板２２、蹴込板２４は、製造工場において予め部材の段階で加工を行って、現場に搬入される。
【００３８】
このように構成された側板２１、踏板２２、蹴込板２４を施工する方法を説明する。
まず、一対の側板２１を階段架設場所に斜めに設置する。
次に、図１２に示すように側板２１の下段の水平部２３上に、踏板２２を、その後端２８が水平部２３の後端よりも後方に突出するように配置した後、釘等で固定する。この突出量は後で設置する蹴込板２４が垂直状態となったときに踏板２２の後端２８が、蹴込板２４の横溝２７の奥壁に当接するだけの量である。
【００３９】
次に、図１３に示すように蹴込板２４を前傾状態として、その状態のまま蹴込板２４の下端を側板２１の切欠部２６の第一領域２６ａに挿入する。
そして、その第一領域２６ａ内の蹴込板２４の下端を、切欠部２６の第二領域２６ｂに送るように蹴込板２４を回転させることで、図１４に示すように踏板２２の後端２８を蹴込板２４の横溝２７に嵌め込むとともに蹴込板２４の後面を側板２１の鉛直部２５に当接させて、その位置で蹴込板２４を鉛直部２５に釘や木ネジ等で固定する。
【００４０】
そして、図１５に示すように一段上の踏板２２を一段上の水平部２３に、後端２８を突出させるように配置し、釘等で固定する。
この後の蹴込板２４の設置は、一段下の蹴込板２４と同様に行う。
このように、下から上へ順に、後方へ回り込むことなく前方からのみ踏板２２及び蹴込板２４を施工する。
【００４１】
以上のように構成された階段及び階段の施工方法によれば、踏板２２は、その後端２８が水平部２３の後端よりも後方に突出するように配置されて、踏板２２の後端２８が蹴込板２４の横溝２７に嵌め込まれたので、踏板２２の中央部の撓みを抑制可能である。
すなわち、踏板２２に荷重が作用しても、踏板２２の後端２８の下面が蹴込板２４の横溝２７の下端に当接するとそれ以上は踏板２２が撓むことはない。
よって、蹴込板２４と踏板２２との間に隙間が発生し難く、また軋み音も発生し難い。
【００４２】
しかも、切欠部２６の第一領域２６ａが形成されているので、先に踏板２２の後端２８が突出するように施工されていても、後から蹴込板２４の下端を切欠部２６の第一領域２６ａに挿入することで蹴込板２４を施工可能である。つまり、後方に回り込むことなく前方からのみの施工で階段を設置可能である。その結果、施工時に脚立等は不要であり、また無理な姿勢を取らずに安全に施工可能である。
【００４３】
また、踏板２２の左右方向略中央部の後端２８下面が蹴込板２４の横溝２７の下端に当接しているので、最も撓み易い踏板２２の左右方向略中央部であってもほとんど撓まず、軋み音も発生し難い。
また、横溝２７が形成された蹴込板２４の後面部分に、左右に延びる第一補強材３０を取付けたので、蹴込板２４が撓み難く、蹴込板２４を側板２１の鉛直部２５に固定したときに踏板２２の後端２８を確実に蹴込板２４の横溝２７に嵌め込むことができる。
さらに、踏板２２の後部下面に、左右に延びる第二補強材３１を取付けたので、踏板２２が撓み難く、蹴込板２４を側板２１の鉛直部２５に固定したときに踏板２２の後端２８を確実に蹴込板２４の横溝２７に嵌め込むことができる。
よって、軋み音がより発生し難い。
【００４４】
また、切欠部２６の第一領域２６ａは、鉛直部２５の下端から後方へ延びる傾斜部２６ｃが形成されてなるので、切欠部２６が小さくて済み、側板２１に切欠部２６を形成しても側板２１の強度を保つことができる。
【００４５】
また、踏板２２と蹴込板２４が同厚なので、同一ラインで同時に製造可能で、生産性が極めて良好で、同じ単板を使用することも可能である。その結果、色違いや柄違い等のトラブルにもなり難い。
【００４６】
なお、本実施形態において、踏板２２の左右方向略中央部の後端２８下面が蹴込板２４の横溝２７の下端に当接しているとしたが、これに限られるものではなく、踏板２２の後端２８が横溝２７に嵌め込まれた状態で、横溝２７の上端や下端と多少隙間があってもよい。
横溝２７は断面矩形状で、踏板２２の後端２８を挿入可能であるが、蹴込板２４が回転して踏板２２の後端２８が横溝２７に挿入されるので、現実には踏板２２の後端２８は横溝２７に斜めに入ることになるが、踏板２２の後端２８と横溝２７のクリアランスは、この挿入が可能なだけ設けられている。但し、あまりこのクリアランスが大きいと、踏板２２に荷重が掛かったときに踏板２２の左右方向略中央部でそのクリアランスの分だけ沈み込みが生じてしまう。
【００４７】
また、第一補強材３０や第二補強材３１を設けたが、踏板２２や蹴込板２４の反りを防止又は矯正できる構造であれば、これに限られるものではない。
【００４８】
また、切欠部２６の第一領域２６ａは、鉛直部２５の下端から後方へ延びる傾斜部２６ｃが形成されてなるとしたが、これに限られるものではなく、踏板２２が水平部２３に固定された状態で蹴込板２４の下端を切欠部２６の第一領域２６ａの奥まで挿入可能であれば切欠部２６の第一領域２６ａの形状は問わない。この、奥まで挿入とは、踏板２２の後端２８を蹴込板２４の横溝２７に嵌め込み可能な程度に奥までという意味である。
【００４９】
また、切欠部２６の底部を円弧状として、蹴込板２４を回転させるときに蹴込板２４の下端を沿わせてもよい。
【符号の説明】
【００５０】
１      側板
２      踏板
３      蹴込板
４      溝
５      楔
６      釘
７      作業者
８      狭い空間
９      天井
１０      脚立
１１      不安定な作業
１２      傾斜した壁面
１３      水平部
１４      鉛直部
１５      鋸歯状の加工
１６      ササラ桁
１７      踏板後端
１８      隙間
１９      元の位置
２０      撓み
２１      側板（ササラ桁）
２２      踏板
２３      水平部
２４      蹴込板
２５      鉛直部
２６      切欠部
２６ａ    第一領域
２６ｂ    第二領域
２６ｃ    傾斜部
２７      横溝
２８      踏板後端
２９      Ｖカット
３０      第一補強材
３１      第二補強材
【図１】
0006712138.tif 000002
【図２】
0006712138.tif 000003
【図３】
0006712138.tif 000004
【図４】
0006712138.tif 000005
【図５】
0006712138.tif 000006
【図６】
0006712138.tif 000007
【図７】
0006712138.tif 000008
【図８】
0006712138.tif 000009
【図９】
0006712138.tif 000010
【図１０】
0006712138.tif 000011
【図１１】
0006712138.tif 000012
【図１２】
0006712138.tif 000013
【図１３】
0006712138.tif 000014
【図１４】
0006712138.tif 000015
【図１５】
0006712138.tif 000016
【図１６】
0006712138.tif 000017
【図１７】
0006712138.tif 000018
【図１８】
0006712138.tif 000019
【図１９】
0006712138.tif 000020